(57)【要約】【課題】  この発明は、ロールペーパーホルダから容易に確実にペーパー端部を引き出すことができ、使いやすいペーパーホルダを提供する。【解決手段】  この発明は、壁面等に取付けられる取付け部及びロールペーパーを回転自在に支持する支持部を有してなるホルダ本体と、このホルダ本体に上下揺動自在に枢支され、前記支持部に支持された前記ロールペーパーの上方を覆うカバー板と、該カバー板に形成され、前記ロールペーパーから繰り出されたペーパーをカバー板上面側に引き出すための引出口と、前記カバー板の先端縁に沿って設けられ、前記引出口から引き出されたペーパーを切断するための切断刃とを少なくとも具備するロールペーパーホルダにおいて、前記引出口の後方に、前記ペーパーを前記引出口から引き出すための所定の大きさの開口部を設けたことにある。さらに、前記カバー板の上部に、前記カバー板に形成された開口部を開閉自在に閉塞するカバーを設ける。【選択図】  図１
2006174892.tif 000002
【特許請求の範囲】
【請求項１】
壁面等に取付けられる取付け部及びロールペーパーを回転自在に支持する支持部を有してなるホルダ本体と、このホルダ本体に上下揺動自在に枢支され、前記支持部に支持された前記ロールペーパーの上方を覆うカバー板と、該カバー板に形成され、前記ロールペーパーから繰り出されたペーパーをカバー板上面側に引き出すための引出口と、前記カバー板の先端縁に沿って設けられ、前記引出口から引き出されたペーパーを切断するための切断刃とを少なくとも具備するロールペーパーホルダにおいて、
前記引出口の後方に、前記ペーパーを前記引出口から引き出すための所定の大きさの開口部を設けたことを特徴とするロールペーパーホルダ。
【請求項２】
前記カバー板の上部に、前記カバー板に形成された開口部を開閉自在に閉塞するカバーを設けたことを特徴とする請求項１記載のロールペーパーホルダ。
【請求項３】
前記ロールペーパー上部を覆う前記カバー板の先端部をロールペーパー面にあわせて湾曲させると共に、前記切断部を前記カバー板先端から垂直に立設させたことを特徴とする請求項１又は２記載のロールペーパーホルダ。
【請求項４】
前記カバー板内側の両端部には、前記ロールペーパーの左右の移動を規制するためのペーパーガイドが設けられることを特徴とする請求項１〜３のいずれか一つに記載のロールペーパーホルダ。
【請求項５】
前記カバー板の引出口は、その内周縁の取付け部側の側縁の回動延長線が前記支持部に接触する位置に形成されることを特徴とする請求項１〜４のいずれか一つに記載のロールペーパーホルダ。
【発明の詳細な説明】
【技術分野】
【０００１】
本発明は、トイレットペーパー、ペーパータオル等のロールペーパーを壁面等に支持するためのロールペーパーに関する。
【背景技術】
【０００２】
特許文献１に開示されるロールペーパーホルダは、壁面等に取り付けられる取付部及びロールペーパーを略水平軸心まわりに回転自在に支持する支持部を有してなるホルダ本体と、このホルダ本体に上下揺動自在に枢支され、支持部に支持されたロールペーパーの上方を覆うカバー板とを備えたロールペーパーホルダにおいて、前記カバー板に、ロールペーパーから繰り出されたペーパーをカバー板上面側に引出する導出口を形成するとともに、前記導出口から引出されたペーパーを切断する切断刃をカバー板の先端縁に沿って設けたものである。
【特許文献１】実願平１０−８２５１号
【発明の開示】
【発明が解決しようとする課題】
【０００３】
上記特許文献１に開示されるものにおいては、ロールペーパーの交換時に、ロールペーパーの導出口が大変狭いことから、片手が不自由な身体障害者や高齢者等には、導出口からロールペーパーの先端を引き出す作業が、極めて難しく、使いづらいという問題点があり、また、ロールペーパーが左右に移動するため、引き出されてきたペーパーの端が折れたり切れたりするという問題点があった。さらに、その先端がロールペーパーの湾曲に合わせて下方に向いていないため、ペーパーを水平手前に引かなければならず、狭いスペースでは取り出しづらいという問題点があった。さらにまた、取出口内周の上部が支持部に十分接触していないため、ペーパーの残量が少なくなると押さえられず、ペーパーがずるずる引き出されてしまうという問題点もあった。
【０００４】
このため、この発明は、ロールペーパーホルダから容易に確実にペーパー端部を引き出すことができ、使いやすいペーパーホルダを提供することにある。
【課題を解決するための手段】
【０００５】
したがって、この発明は、壁面等に取付けられる取付け部及びロールペーパーを回転自在に支持する支持部を有してなるホルダ本体と、このホルダ本体に上下揺動自在に枢支され、前記支持部に支持された前記ロールペーパーの上方を覆うカバー板と、該カバー板に形成され、前記ロールペーパーから繰り出されたペーパーをカバー板上面側に引き出すための引出口と、前記カバー板の先端縁に沿って設けられ、前記引出口から引き出されたペーパーを切断するための切断刃とを少なくとも具備するロールペーパーホルダにおいて、前記引出口の後方に、前記ペーパーを前記引出口から引き出すための所定の大きさの開口部を設けたことにある。さらに、前記カバー板の上部に、前記カバー板に形成された開口部を開閉自在に閉塞するカバーを設けることが望ましい。
【０００６】
また、前記ロールペーパー上部を覆う前記カバー板の先端部をロールペーパー面にあわせて湾曲させると共に、前記切断部を前記カバー板先端から垂直に立設させることが望ましい。これによって、ペーパーの下方に向けた切断が場所もとらず容易となると共に、歯が前方に突出しない為、安全に使用することができる。さらに、樹脂製の切断刃を用いることが望ましく、これによってさらに安全に使用することができるものである。
【０００７】
また、前記カバー板内側の両端部には、前記ロールペーパーの左右の移動を規制するためのペーパーガイドが設けられることが望ましく、前記カバー板の引出口は、その内周縁の取付け部側の側縁の回動延長線が前記支持部に接触する位置に形成されることが望ましい。さらに、細身のロール支持軸を使用することにより、ロールペーパーの種類を選ぶことなく、多種のロールペーパーを装着することができるものである。
【発明を実施するための最良の形態】
【０００８】
以下、この発明の実施例について図面により説明する。
【実施例１】
【０００９】
本願発明の実施例に係るロールペーパーホルダ装置１は、図１〜図３に示すように、ホルダ本体２と、ホルダ本体２に配される内カバー板３、外カバー板４、ロール支持軸７、切断刃８とを備える。
【００１０】
前記ホルダ本体２は、ネジ又は接着剤等の取付手段によって壁面等に取付けが可能な取付部６と、この取付部６の両側縁部からそれぞれ前方に延設された一対の側板部５と、これらの側板部５の前方先端部間に枢支されたロール支持軸７とによって少なくとも構成される。
【００１１】
前記ロール支持軸７は、従来のロールペーパーホルダに一般的に用いられるものと同じものであり、このロール支持軸７を側板部５に作られるロール支持軸溝９に上方より装着することにより容易に脱着可能且つ回転自在に、側板部５間に枢支することができるものである。また、細いロール支持軸を使用する事により、多種ロールペーパーの種類対応可能となる。
【００１２】
前記内カバー板３は、合成樹脂板等で構成されると共に、前記側板部５の両側から配されており、その先端部３ａからペーパー引出口１２の間は、前記ロール支持軸７で支持されるロールペーパー１０の周囲に沿うように湾曲形成されているものである。また、前記先端部３ａは、ロールペーパー１０に対して垂直に立設しており、その内側には、切断刃８が配される。さらに、前記カバー板３の前方先端近傍には、ペーパー引出口１２が、前記内カバー板３の先端縁に沿って延出する細長い矩形状に形成され、その後方には所定の形状の開口部２０が形成される。前記切断刃８は前記内カバー板３の材質は比較的硬質な合成樹脂で構成されているのに対して、内カバー板３の材質よりも柔らかい材質の合成樹脂製で形成されている。尚、この実施例では、開口部２０は四角形状としたが、半円形状でも良いものである。
【００１３】
前記内カバー板３を上方から覆うように、前記側板部５の両側から配された外カバー板４が配されており、この外カバー板４は、前記開口部２０を閉塞するような寸法になっている。
【００１４】
以上の構成により、ロールペーパー１０にロール支持軸７をさしてロール支持軸溝９に装着した後、外カバー板４によって前記開口部２０を開いてロールペーパー１０の先端１０ａを摘んでペーパー引出口１２から引き出し、前記外カバー板４を元に戻す。これによって、片手でロールペーパー１０を引き出して切断できるので、例えば狭いトイレで用を足しながらトイレットペーパーを切断するような場合でも使いやすいという利点がある。さらに、切断後は、ペーパー端部１０ａがペーパー引出口１２と切断刃８の間の湾曲した内カバー板３上に残るため、次回ペーパーを引き出す際も極めて取り出しやすく、摘むだけで引き出し、切断が可能なので、衛生的であるという利点がある。
【００１５】
さらに、ペーパー引出口１２は後部が四角状の為、ペーパー装填時や逆回転などで、ペーパー引出口１２からペーパー端部１０ａが出ていない場合や取り出しにくい場合、ロールペーパー１０を極めて簡単に片手で摘んで取り出すことができ、外カバー板４によりペーパー端部１０ａがめくれあがるのを防止することできる。ペーパー引出口１２を塞ぐので視覚的にもよく、直接外カバー板４を触らずに切断出来るので衛生的である。
【００１６】
さらに、切断刃８が先端周辺が湾曲している内カバーに垂直に配していることにより、従来の物よりペーパー切り取りが簡単に行える。切断刃８はカバー材質よりも柔らかい材質で形成したので、ペーパー切断時など摘む際に負傷することを防止できる。ロールペーパー１０の交換時、従来のはめ込み式では無く、斜め方向のロール支持軸溝９によりロール支持軸７が上方からスライド式で装填が可能であり、簡易に交換が可能である。
【実施例２】
【００１７】
さらに、図４で示すように、ペーパーの取り出しの際に、前記外カバー４に切欠き部１１を設けることにより中央でのペーパーの摘みやすさが増し、その為ペーパー端部１０ａ中央で摘むことにより前記切断刃８で、切断時に綺麗にペーパーを切断することが出来る。尚、実施例１と同一の箇所及び同一の効果を奏する箇所には、同一の符号を付してその説明を省略する。
【図面の簡単な説明】
【００１８】
【図１】本願発明の実施例１に係るロールペーパーホルダの概略構成図である。
【図２】本願発明の実施例１に係るロールペーパーホルダの説明図である。
【図３】本願発明の実施例１に係るロールペーパーホルダの平面図である。
【図４】本願発明の実施例２に係るロールペーパーホルダの概略構成図である。
【符号の説明】
【００１９】
１      ロールペーパーホルダ装置
２      ホルダ本体
３      内カバー板
３ａ    先端部
４      外カバー板
５      側板部
６      取付け部
７      ロール支持軸
８      切断刃
９      ロール支持軸溝
１０    ロールペーパー
１０ａ  ペーパー端部
１１    切欠き部
１２    ペーパー引出口
１３    ペーパーガイド
２０    開口部
【図１】
2006174892.tif 000003
【図２】
2006174892.tif 000004
【図３】
2006174892.tif 000005
【図４】
2006174892.tif 000006